(57)【要約】【課題】  受信した画像データが予め割り当てられた領域を越えた場合でも、画像データの受信を続行することができる画像処理装置を提供する。【解決手段】  コピースタートキーが押されると（ＳＴ１１）、バッファメモリ５のＦａｘ受信用領域が規定値以上受信データを記憶していることを示すフラグＦｍが１か否か判定し（ＳＴ１２）、Ｆｍ＝１の場合に、表示部９に「Ｆａｘ受信中につき、しばらくお待ち下さい」を表示し（ＳＴ１３）、Ｆｍ＝０の場合は、原稿読み取りを開始する（ＳＴ１４）。読み取り中にフラグＦｍが１となると、表示部９に「Ｆａｘ受信中につき、しばらくお待ち下さい」を表示する（ＳＴ１６）。その後、記憶画像データが出力され、再度フラグＦｍが０となると、続けて原稿画像読み取りを再開する（ＳＴ１５〜ＳＴ１９）。【選択図】      図３
2005303508.tif 000002
【特許請求の範囲】
【請求項１】
画像を読み取る画像読取手段と、外部より画像データを受信する画像データ受信手段と、画像読取手段からの読み取り画像データと画像データ受信手段で受信した受信画像データを格納するメモリ手段と、受信画像データを出力する出力手段とを備えた画像処理装置において、
メモリ手段内で受信画像に割り当てられた領域を超えて、受信画像データが格納されたときは、前記画像読取手段を停止させる制御手段を備えたことを特徴とする画像処理装置。
【請求項２】
前記受信画像データが出力手段により出力されることにより、前記メモリ手段内の割り当てられた領域内に収まるようになったとき、前記画像読取手段を使用可能とすることを特徴とする請求項１記載の画像処理装置。
【請求項３】
前記画像データ受信手段は、ファクシミリ受信手段であることを特徴とする請求項１又は請求項２記載の画像処理装置。
【発明の詳細な説明】
【技術分野】
【０００１】
この発明は、ファクシミリ装置、複合機等の画像処理装置に関する。
【背景技術】
【０００２】
一般に複合機等の画像処理装置においては、ファクシミリ受信画像データを記憶するメモリと、複写のため画像読み取りした原稿画像データを記憶するメモリを有する。
【０００３】
この種の画像処理装置において、従来、ファクシミリ機能用と複写機能用とに割り当てられたメモリを効率良く利用するために、画像形成手段が画像形成不可能であることが検出されたときに、受信画像データを原稿画像データ用の第１記憶手段に記憶するようにし、ファクシミリ機能用の第２の記憶手段が一杯になった以後も、受信画像データを受信することができるようにした複合機が提案されている（例えば、特許文献１参照）。
【特許文献１】特開２０００−１２５０９６号公報
【発明の開示】
【発明が解決しようとする課題】
【０００４】
上記従来の複合機では、プリンタのトラブルで受信したファクシミリ画像データをプリントできないときは、ファクシミリ機能用の記憶領域を操作して、複写機能用の記憶領域を用いて、対応している。一方、複合機でカラー画像の処理にはかなりのワークメモリが必要となる。そこで、カラースキャナの画像処理部にページメモリ等の大きいワークエリアを設けることもあるが、コストを低減するために、ファクシミリ受信時のデータバッファメモリと共用することが考えられる。その場合、ファクシミリの着信があったときに、カラー画像データの処理が行われており、共用メモリのほとんどが使われている場合には、ファクシミリの画像データを受信することができなくなる問題点がある。また、ファクシミリの受信中にカラー画像データの読み取りが実行され、その読み取りデータがバッファメモリに記憶されると、残りのファクシミリの画像データを受信することができなくなる問題点もある。
【０００５】
この発明は上記問題点に着目してなされたものであって、受信した画像データが予め割り当てられた領域を超えた場合でも、画像データの受信を続行することができる画像処理装置を提供することを目的とする。
【課題を解決するための手段】
【０００６】
この発明の画像処理装置は、画像を読み取る画像読取手段と、外部より画像データを受信する画像データ受信手段と、画像読取手段からの読み取り画像データと画像データ受信手段で受信した受信画像データを格納するメモリ手段と、受信画像データを出力する出力手段とを備えた画像処理装置において、メモリ手段内で受信画像に割り当てられた領域を超えて、受信画像データが格納されたときは、前記画像読取手段を停止させる制御手段を備えている。
【０００７】
この発明の画像処理装置において、前記受信画像データが出力手段により出力されることにより、前記メモリ手段内の割り当てられた領域内に収まるようになったとき、前記画像読取手段を使用可能とすることができる。
【０００８】
また、この発明の画像処理装置において、前記画像データ受信手段は、例えばファクシミリ受信手段である。
【発明の効果】
【０００９】
この発明によれば、受信データが、予め割り当てられた領域を超えたときには、画像の読み取りを停止し、画像データの受信が続行できる。また、画像データの受信が終了して、その処理が進み、割り当てられた領域以下になったときには、再び画像読取手段の画像の読み取り処理を再開、又は再開可能な設定を行うことができる。
【発明を実施するための最良の形態】
【００１０】
以下、実施の形態により、この発明をさらに詳細に説明する。図１は、この発明の一実施形態である複合機の構成を示すブロック図である。
【００１１】
この実施形態複合機は、ＭＰＵ１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、バッファメモリ５と、カラースキャナ６と、ＪＰＥＧ  ＣＯＤＥＣ７と、Ｇ３（Ｂ／Ｗ）  ＣＯＤＥＣ８と、表示部９と、操作部１０と、プリンタ１１と、外部Ｉ／Ｆ１２と、バス１３とを備えている。
【００１２】
ＭＰＵ１は、ＲＯＭ４に記憶しているプログラムに従い、装置全体の処理動作を実行する。ＮＣＵ２は、ＭＰＵ１により制御されて、通信回線である電話回線網（ＰＳＴＮ）１４との接続を制御する。また、ＮＣＵ２は、通信相手の電話番号（ＦＡＸ番号を含む）に応じたダイヤルパルスを送出する機能及び着信を検出する機能を有する。
【００１３】
ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいてＶ．１７、Ｖ．２７ｔｅｒ、Ｖ．２９等に従った送信データの変調及び受信データの復調を行う。また、ＭＯＤＥＭ３は、Ｖ．８、Ｖ．３４を用いてスーパーＧ３Ｆａｘにも適用可能である。具体的には、ＭＯＤＥＭ３はＮＣＵ２を介して電話回線網１４に送出するために、デジタル信号である送信データをアナログの信号に変調する機能を有する。また、ＭＯＤＥＭ３は電話回線網１４からＮＣＵ２を介して受信したアナログの音声信号をデジタル信号に復調する機能を有する。
【００１４】
ＲＯＭ４は、この装置全体の動作を制御するためのプログラム等を記憶する。  バッファメモリ５は、スキャナワーク領域５ａと、Ｆａｘ受信領域５ｂを有し、電話回線網１４、ＮＣＵ２を介して、受信した画像データはＦＡＸ受信領域５ｂに記憶し、スキャナ６で読み取ったカラー画像データは処理のために、スキャナワーク領域５ａに記憶する。これらスキャナワーク領域５ａ、Ｆａｘ受信領域５ｂは互いに共用できる。
【００１５】
カラースキャナ６は、ファクシミリ送信するとき、又はコピーするときに、原稿の画像データを光学的に走査して読み取る。このカラースキャナ６は、カラー読み取りの場合、原稿画像を光学的に走査し、ＲＧＢ３色の色分解信号を得る。  ＪＰＥＧ  ＣＯＤＥＣ８は、ＪＰＥＧ用のＣＯＤＥＣであり、Ｇ３  ＣＯＤＥＣ８は、Ｇ３用のＣＯＤＥＣであり、それぞれ読み取った画像データを送信又は記憶するためにＭＨ、ＭＲ、ＭＭ方式等により符号化（エンコード）する。また、圧縮符号化された状態で受信した画像データをプリンタ１１により記録するために復号（デコード）する。
【００１６】
表示部９は、アイコン、キーボタンの表示や、データの送受信に必要なメッセージ内容、操作部１０の操作により、入力された電話番号やＦＡＸ番号等を表示する。この表示部９としては、ＬＣＤ（液晶表示装置）が用いられる。操作部１０はテンキー、ワンタッチキー、短縮キー、モード切替キー、スタートキー、ストップキー等のキーを有する。プリンタ１１はカラープリンタであり、電子写真方式のものが採用され、受信画像データや、コピー動作においてカラースキャナ６で読み取った原稿の画像データを記録紙上に記憶する。外部Ｉ／Ｆ１２は、ＬＡＮを介して外部ＰＣ、その他の外部機器が接続され、ここを介して、外部機器との間でデータ授受を行う。各部は、バス１３によりデータを授受可能に接続されている。
【００１７】
この実施形態複合機において、コピー時にカラースキャナ６でカラー原稿を読み取った画像データは、バッファメモリ５のスキャナワーク領域５ａに記憶する。また、電話回線網１４より、ファクシミリ画像を受信すると、この受信画像データをバッファメモリ５のＦａｘ受信領域５ｂに記憶する。これらの画像データの記憶処理の実行に際し、図２に示すメモリ管理処理を実行する。
【００１８】
この処理ルーチンに入ると、ステップＳＴ１において、バッファメモリ５の記憶状態をスキャンし、Ｆａｘ受信用領域容量（受信記憶済の領域容量）を検出する。つまり、Ｆａｘ受信用領域５ｂの記憶容量を検出する。次に、ステップＳＴ２へ移行する。
【００１９】
ステップＳＴ２においては、検出したＦａｘ受信用領域容量が、予め設定してある規定値より大か否か判定する。Ｆａｘ受信用領域容量が規定値より大きい場合は、ステップＳＴ３へ移行する。一方、規定値より大きくない場合は、ステップＳＴ４へ移行する。
【００２０】
ステップＳＴ３においては、Ｆａｘ受信用領域オーバフラグＦｍを立てる。つまりフラグＦｍ＝１とする。そして、リターンする。ステップＳＴ４においては、Ｆａｘ受信用領域オーバフラグＦｍを０（Ｆｍ＝０）とする。そして、リターンする。このメモリ管理処理は、バッファメモリ５へのデータ記憶開始前、及び記憶処理中に実行する。
【００２１】
ここで、実施形態複合機の画像読み取り時の処理動作を図３に示すフロー図を参照して説明する。この処理ルーチンに入ると、ステップＳＴ１１において、スタートキーがオンか否かを判定する。操作部１０のスタートキーが押されていると、ステップＳＴ１２へ移行する。一方、スタートキーが押されていないと、この処理ルーチンからリターンする。
【００２２】
ステップＳＴ１２においては、Ｆａｘ受信用領域オーバフラグＦｍが０か否か判定する。フラグＦｍが０でない場合、つまりフラグＦｍ＝１の場合は、既に今、Ｆａｘ受信中で、Ｆａｘ受信用領域５ｂが規定値以上記憶されていることを示す。この場合は、ステップＳＴ１３へ移行する。一方、フラグＦｍ＝０の場合は、たとえＦａｘ受信中でも、Ｆａｘ受信用領域５ｂには、容量に余裕があることを意味する。この場合は、ステップＳＴ１４へ移行する。
【００２３】
ステップＳＴ１３においては、表示部９に「Ｆａｘ受信中につき、しばらくお待ち下さい」の表示を行う。そして、画像読み取りを停止（開始せず）し、リターンする。ステップＳＴ１４においては、カラースキャナ６における原稿読み取りを開始する。次に、ステップＳＴ１５へ移行する。
【００２４】
ステップＳＴ１５においては、Ｆａｘ受信用領域オーバフラグＦｍが０であるか否か判定する。フラグＦｍが０の場合は、ステップＳＴ１７へ移行する。一方、フラグＦｍが０でない場合、つまりフラグＦｍ＝１の場合は、ステップＳＴ１６へ移行する。ステップＳＴ１６においては、Ｆａｘ受信用領域５ｂに残容量に余裕のない状態なので、表示部９に「Ｆａｘ受信中につき、しばらくお待ち下さい」の表示を行う。次に、再びステップＳＴ１５へ移行する。
【００２５】
ステップＳＴ１７においては、まだＦａｘ受信用領域５ｂに余裕があるので、１ライン原稿を読み取り、スキャナワーク領域５ａに記憶する。次に、ステップＳＴ１８へ移行する。ステップＳＴ１８においては、カラースキャナ６において、１ライン分副走査し、次の読み取りラインへ移行する。そして、ステップＳＴ１９へ移行する。
【００２６】
ステップＳＴ１９においては、読み取りが終了か否か判定する。読み取りが終了でない場合は、ステップＳＴ１５へ戻る。一方、読み取り終了の場合は、ステップＳＴ２０へ移行する。ステップＳＴ２０においては、読み取り終了処理を実行し、リターンする。
【００２７】
ステップＳＴ１９より戻ったステップＳＴ１５においては、再びＦａｘ受信用領域オーバフラグＦｍが０か否か判定する。まだ、フラグＦｍ＝０である場合は、ステップＳＴ１７へ移行し、そのまま画像読み取りを継続する。一方、Ｆａｘ画像データの受信の進行により、その後、Ｆａｘ受信用領域容量が所定値より大となり、フラグＦｍ＝１となっている場合には、ステップＳＴ１６へ移行する。ステップＳＴ１６においては、表示部９「Ｆａｘ受信中につき、しばらくお待ち下さい」を表示する。次に、ステップＳＴ１５へ移行する。そして、フラグＦｍ＝０となるまで、ステップＳＴ１５、ＳＴ１６の処理を繰り返す。この間、読み取りが停止され「Ｆａｘ受信中につき、しばらくお待ち下さい」の表示が続けられる。
【００２８】
その後、時間の経過とともに、Ｆａｘ受信画像データがＦａｘ受信領域５ｂから転送され、プリント処理等が進行し、Ｆａｘ受信用領域５ｂの記憶データ量が規定の容量より小さくなると、図２に示す処理により、フラグＦｍ＝０となる。そのため、ステップＳＴ１５からステップＳＴ１７へ移行し、再びカラースキャナ６における読み取りが再開される。
【００２９】
なお、ファクシミリ受信時において、受信した符号化データを復号して、カラープリンタ１１に転送し、プリントする。この際、復号用にある程度のバッファメモリ容量が必要である。
【図面の簡単な説明】
【００３０】
【図１】この発明の一実施形態である複合機の構成を示すブロック図である。
【図２】同実施形態複合機のメモリ管理処理を説明するためのフロー図である。
【図３】同実施形態複合機の画像読み取り処理を説明するためのフロー図である。
【符号の説明】
【００３１】
１          ＭＰＵ
２          ＮＣＵ
３          ＭＯＤＥＭ
４          ＲＯＭ
５          バッファメモリ
５ａ        スキャナワーク領域
５ｂ        Ｆａｘ受信領域
６          スキャナ
７          ＪＰＥＧ  ＣＯＤＥＣ
８          Ｇ３  ＣＯＤＥＣ
９          表示部
１０        操作部
１１        カラープリンタ
１２        外部Ｉ／Ｆ
１３        バス
１４        電話回線網
【図１】
2005303508.tif 000003
【図２】
2005303508.tif 000004
【図３】
2005303508.tif 000005